(57)【要約】【課題】ゴルフプレーに支障をきたすような緩みを防止しつつ、腰部回りの蒸れを抑制するようにしたゴルフ用ボトムを提供すること。【解決手段】着用者の腰部に巻き付けられるベルトを通すためのベルトループ３０をボトム本体１６に接続したゴルフ用ボトムであって、ボトム本体１６には、ベルトが巻きつけられる領域であるベルト領域１５に、厚み方向に通気性を有する通気部２８が形成され、ベルトループ３０は、通気部２８を跨ぐようにして表側に配置されており、通気部２８は、上からベルトで押さえ付けられても通気孔３５を有する表地と裏地とが互いに密着しないように、表地と裏地とを連結糸でつなぐことで形成された立体編物からなる。【選択図】図１
2017002435.tif 000002
【特許請求の範囲】
【請求項１】
着用者の腰部に巻き付けられるベルトを通すためのベルトループをボトム本体に接続したゴルフ用ボトムであって、
前記ボトム本体には、前記ベルトが巻きつけられる領域であるベルト領域に、通気性を有する通気部が形成され、
前記ベルトループは、前記通気部を跨ぐようにして表側に配置されており、
前記通気部は、上からベルトで押さえ付けられても通気孔を有する表地と裏地とが互いに密着しないように、前記表地と前記裏地とを連結糸でつなぐことで形成された立体編物からなる
ことを特徴とするゴルフ用ボトム。
【請求項２】
前記ベルト領域には、前記通気部の厚みに比べて大きい厚みを有する肉厚部分が、前記通気部の上下両端に隣接して形成されていることを特徴とする請求項１に記載のゴルフ用ボトム。
【請求項３】
前記通気部は、前記ベルトのバックルが配置される領域には形成されないようにして、少なくとも着用者の仙骨と背骨のつなぎ目周辺に対応した腰部に形成されていることを特徴とする請求項１又は２に記載のゴルフ用ボトム。
【請求項４】
前記ゴルフ用ボトムはゴルフ用ズボンであり、
前身頃の生地と後見頃の生地とを縫合して形成された脇線は、尻部から足首に向うに従って除々に前方に配置されるように斜めに延伸しており、
着用者の大腿部に対応した位置には、ゴルフボールを収容するためのボールポケットを有し、
前記ボールポケットは、ゴルフボールを挿入するための開口部が前記脇線の位置にあり、前記ゴルフボールを収容する袋状部が前記脇線よりも後身頃側に配置されている
ことを特徴とする請求項１ないし３のいずれかに記載のゴルフ用ボトム。
【請求項５】
前記通気部は、前記腰部回り方向に比べて上下方向の伸縮性が低いことを特徴とする請求項１ないし４のいずれかに記載のゴルフ用ボトム。
【発明の詳細な説明】
【技術分野】
【０００１】
本発明は、通気性のあるゴルフ用ボトムに関する。
【背景技術】
【０００２】
従来のゴルフ用のズボンやスカート等のボトムには、プレー中に発汗することから、通気性を有するようにしたものがある。
例えば特許文献１に記載のズボンは、その図１に示されるように、大腿部の位置に開口部３を有している。開口部３はファスナーで開閉自在であり、開口部３を開けると、通気性を有する布地が露出し、これにより通気を確保している。
しかし、特許文献１のズボンでは大腿部から蒸発した汗を逃がすことはできるが、腰部の汗を積極的に逃すことはできない。特に、腰部にはベルトが巻かれるため、ベルトで密着した部分の汗を逃がすことは困難である。
【０００３】
この点、特許文献２は、腰部の位置であっても、汗を逃がすことを目的としたズボンである。即ち、第３図に示されるように、ズボン本体の腰部周辺は網状布４となっており、その網状布４よりも上側に固定されたベルト１を折り返して、二重に締付ける構成とされている。そして、第１図に示されるように、網状布４は、ベルト１を折り返しても、露出している部分を有し、この露出している部分で通風性を図っている。
【先行技術文献】
【特許文献】
【０００４】
【特許文献１】特開２０１２−９７３８７号公報
【特許文献２】実開昭５８−４５３１１号公報
【発明の概要】
【発明が解決しようとする課題】
【０００５】
ところで、特許文献２は、確かに腰部周辺に網状布４を有するが、ベルト１が折り返されると、網状布４の一部はベルト１に隠れ、しかも二重に強く締付けられる。このため、結局、このベルト１で押さえ付けられた領域は、肌に密着して汗を効果的に逃がすことは不可能である。勿論、ベルト１で押える力を弱めれば、汗を効果的に逃がすことも可能かも知れないが、それだとズボンの腰部回りが緩くなってゴルフプレーに支障をきたす恐れがある。
なお、近年の素材の進歩により、生地自体に吸汗速乾機能のあるものもあるが、それでも、腰部はベルトで押さえ付けられることに変わりはなく、ベルトの下の汗を逃がすのは難しい。特に最近のベルトは太いものが多く、このような問題が広がっていると言える。また、生地が吸汗速乾機能があっても、腰部回りは型崩れしないように芯材を入れるのが通常であり、この芯材が汗を吸収する機能の邪魔になって、吸汗速乾機能が損なわれている。
【０００６】
本発明は、以上のような課題を解決するためになされたもので、ゴルフプレーに支障をきたすようなボトムの緩みを防止しつつ、腰部回りの蒸れを抑制できるゴルフ用ボトムを提供することを目的とする。
【課題を解決するための手段】
【０００７】
本発明は、着用者の腰部に巻き付けられるベルトを通すためのベルトループをボトム本体に接続したゴルフ用ボトムであって、前記ボトム本体には、前記ベルトが巻きつけられる領域であるベルト領域に、通気性を有する通気部が形成され、前記ベルトループは、前記通気部を跨ぐようにして表側に配置されており、前記通気部は、上からベルトで押さえ付けられても通気孔を有する表地と裏地とが互いに密着しないように、前記表地と前記裏地とを連結糸でつなぐことで形成された立体編物からなることを特徴とする。
【０００８】
上記構成によれば、ゴルフ用ボトムは、着用者の腰部に巻き付けるベルトを通すためのベルトループがボトム本体に縫合するなどして接続されている。従って、ベルトループにベルトを通して、ゴルフプレーに支障がないように通常通りベルトを巻き付けて、着用者の体に対してボトム本体を位置決めできる。
そして、ベルトが巻きつけられるベルト領域には、厚み方向に通気性を有する通気部が形成されているため、腰部の汗を通気部を介して大気に放出することができる。
ここで、通気部は腰部に位置するため、例えば一般的なメッシュ地であると、剛性がないためにボトムの履き口周辺が緩くなって、プレーに支障をきたす恐れも生じる。その恐れを解消するには、ベルトを強く締める必要がある。しかし、ベルトループは通気部を跨ぐようにして表側に配置されているため、ベルトを強く締めると、通気部はベルトに覆われる上に、潰れた状態（ベルトが通気部を介して肌に密着するような状態）となり、通気部の通気性は悪化してしまう。
この点、本発明の通気部は、通気孔を有する表地と裏地とを連結糸でつなぐことで形成された立体編物からなっている。このため、所要の嵩高があって、型崩れのし難い通気部とすることができる。従って、ベルトで適度に押え付ければボトムの履き口周辺が緩くなることもなく、プレーに支障を及ぼすような事態にはならない。
そして、通気部は、上からベルトで押さえ付けられたとしても、表地と裏地とは互いに密着しないようになっているので、ベルトと肌との間に潰れない通気部を介在させることができる。そして、この通気部は連結糸でつないでいるだけなので、所要の可撓性は有しており、このため、例えばプレー時における体の動きに伴って、硬いベルトと可撓性のある通気部との間に隙間が出来て、そこから空気の流通を図れる。
【０００９】
また、好ましくは、前記ベルト領域には、前記通気部の厚みに比べて大きい厚みを有する肉厚部分が、前記通気部の上下両端に隣接して形成されていることを特徴とする。
上記構成によれば、ベルト領域には肉厚部分があるので、ベルトと通気部との間に隙間をでき易くし、該隙間を介して、通気部を通ってきた湿気をより外部に放出し易くすることができる。また、もしベルトを強く締付けて、ベルトと通気部とが密着したとしても、肉厚部分により、より潰れにくい通気部とすることができ、通気性の悪化を防止することができる。
【００１０】
また、好ましくは、前記通気部は、前記ベルトのバックルが配置される領域には形成されないようにして、少なくとも着用者の仙骨と背骨のつなぎ目周辺に対応した腰部に形成されていることを特徴とする。
上記構成によれば、通気部は、ベルトのバックルが配置される領域には形成されていないので、バックルが通気部の通気孔に引っかかる事態を防止できる。
そして、通気部は、少なくとも着用者の仙骨と背骨のつなぎ目周辺に対応した腰部に形成されている。この仙骨と背骨のつなぎ目周辺に対応した部分は、背中の少し窪んだ部分であって、ゴルフのプレー中に汗の溜まり易い部分であることが分かった。従って、この部分に通気部を配置することで、汗溜まりを防止して、あせも等の発生を有効に防止することができる。
【００１１】
また、好ましくは、前記ゴルフ用ボトムはゴルフ用ズボンであり、前身頃の生地と後見頃の生地とを縫合して形成された脇線は、尻部から足首に向うに従って除々に前方に配置されるように斜めに延伸しており、着用者の大腿部に対応した位置には、ゴルフボールを収容するためのボールポケットを有し、前記ボールポケットは、ゴルフボールを挿入するための開口部が前記脇線の位置にあり、前記ゴルフボールを収容する袋状部が前記脇線よりも後身頃側に配置されていることを特徴とする。
【００１２】
上記構成によれば、ズボンの脇線は縫合線であり、その周辺の部位に比べて剛性が高い。そのような剛性のある脇線が、尻部から足首に向うに従って除々に前方に配置されるように斜めに延伸しているので、膝を曲げてアドレスした時、膝の部分の脇線の角度は比較的大きくなり、ズボンの膝から下が前方に寄せられるような形になって、皺が出来にくい美しい形とすることができる。
また、着用者の大腿部に対応した位置には、ゴルフボールを入れるボールポケットを有しているが、このボールポケットは、ゴルフボールを挿入するための開口部が脇線の位置にあるので、その開口部が目立たなくなって、上述した脇線による美感を維持できる。
そして、この大腿部にあるボールポケットは、ゴルフボールを収容する袋状部が脇線よりも後身頃側に配置されているので、スイング時に邪魔になることがない。
この点、ボールポケットの袋状部が脇線よりも後身頃側にあると、袋状部からボールを取り出す際に、手首を後ろに曲げるようにして取り出す必要があるが、上述の通り、脇線は足首に向うに従って除々に前方に配置されるように斜めに延伸しているので、手首を大きく曲げる必要はなく、ボールの取り出し難さも解消されている。
【００１３】
また、好ましくは、前記通気部は、前記腰部回り方向に比べて上下方向の伸縮性が低いことを特徴とする。
上記構成によれば、通気部は上下方向の伸縮性が比較的低いので、ポケットに物を入れても、特に、上述のようにボールポケットがあっても、ボトム本体が上下方向に伸びてしまうことを防止できる。また、通気部は腰部回り方向には伸縮性が比較的高いと、スイング時の腰の捻りが容易になるというメリットもある。
【発明の効果】
【００１４】
以上、本発明によれば、ゴルフプレーに支障をきたすようなボトムの緩みを防止しつつ、腰部回りの蒸れを抑制できるゴルフ用ボトムを提供することができる。
【図面の簡単な説明】
【００１５】
【図１】本発明の実施形態に係るゴルフ用ボトムの正面図。
【図２】図１のゴルフ用ボトムの部分背面図。
【図３】図１のゴルフ用ボトムの側面図。
【図４】図１のＡ−Ａ概略断面図であり、図４（Ａ）はベルトをしていない状態の概略断面図、図４（Ｂ）はベルトを締め付けた状態の概略断面図。
【図５】通気部の別の構成例であり、図４の一点鎖線で囲った図に対応した概略断面図。
【図６】図１のゴルフ用ボトムを着用してスイングをしている使用状態図。
【図７】図６のゴルフ用ボトムを上から（図６のＶ方向から）視認した図。
【図８】ボールポケットの開口部を開けた斜視図。
【図９】図４の立体編物の裏地を正対視した部分拡大図。
【発明を実施するための形態】
【００１６】
以下に、本発明の好ましい実施形態を、図面を参照して詳しく説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
また、以下の図において、同一の符号を付した箇所は、特に言及がない限り同様の構成である。
【００１７】
〔ゴルフ用ボトムの概要等〕
図１〜図３は本発明の実施形態に係るゴルフ用ボトム１０であり、図１はその正面図、図２は部分背面図、図３は右側面図である。なお、図１の一点鎖線で囲った図は、ベルトが巻きつけられるベルト領域１５の表側の概略部分拡大図である。
本実施形態のゴルフ用ボトム１０は、ズボンを例示しており、腰部や臀部を覆う股上部１２と、この股上部１２よりも下側であって、二股に分かれて左右の脚部を覆う股下部１４とからなるボトム本体１６を有している。以下、「ゴルフ用ボトム１０」を「ズボン１０」と呼び、「ボトム本体１６」を「ズボン本体１６」と呼ぶ。
なお、本実施形態ではズボン１０を用いて説明するが、本発明のボトムはズボン１０に限られるものではなく、スカートであっても構わない。
【００１８】
ズボン本体１２の股上部１２は、下半身を挿入するための履き口２０を有している。履き口２０は、前身頃の中央部のボタン１８を外すと共に、縦の切れ目に設けられたファスナー（不図示）を開けることで、その開口面積を大きくすることができる。
ボタン１８が接続された領域には、型崩れを防止すると共にボタン１８を確実に固定するため、内部に所定の剛性を有する芯材（不図示）が縫合されている。
【００１９】
履き口２０の周縁部は、ズボン１０が着用された状態では、着用者の腰骨の位置ＫＮよりも少し上の腰部に配置され、ベルトが巻きつけられる領域であるベルト領域１５となる。このベルト領域１５には、腰回りに互いに間隔をあけて配置され、ベルトを通すための複数のベルトループ３０が設けられている。
ベルトループ３０は、前身頃では少なくとも２個所のループ３０ａ，３０ｂを有し、この２個所のループ３０ａ，３０ｂは、ベルトのバックルＢＣ（図６参照）が配置される中央領域に隣接して、その左右両脇に配置されている。また、ベルトループ３０は、図３に示すように両脇に２個所、図２に示すように後見頃にも所要の数だけ設けられている。
なお、股上部１２には、前身頃側に左右のポケット２６、後見頃側に左右のポケット２７が設けられている。
【００２０】
本実施形態のズボン１０は長ズボンであって、その股下部１４は、筒状になって左脚の足首までを覆う左脚部１４ａと、筒状になって右脚の足首までを覆う右脚部１４ｂとを有している。この左脚部１４ａと右脚部１４ｂには、前見頃の生地と後見頃の生地とを縫合して形成される縫い目である脇線７０があり、この脇線７０は図３に示すように、股上部１２から股下部１４にかけて形成されている（なお、脇線はサイドシームとも呼ぶことができる）。
【００２１】
この脇線７０には特徴があり、尻部付近に対応した位置ＨＰでは両脇（図３の側面の腰回り方向Ｘの略中央部）に配置され、足首（図１及び図３の下側）に向うに従って除々に前方に配置されるように斜めに延伸している。そうすると、図３の二点鎖線で示すように膝ＮＤを曲げてアドレスをした時、膝ＮＤより下の位置では、脇線７０は脇よりも前方に配置され、膝ＮＤの部分に皺が可及的に生じないようにすることができる。即ち、図３の二点鎖線の脇線７０−１に示すように、脇線７０−１が脇の中央に沿ってそのまま延伸している場合、膝ＮＤの部分の角度θ２は比較的小さくなり、その分、皺ができ易くなる。しかし、本実施形態の膝ＮＤの部分の角度θ１は角度θ２に比べて大きく、ズボン１０の膝から下を前方に寄せるような形にして、皺が出来にくい美しいフォルムとすることができる。
なお、この脇線７０には、美しいフォルムだけではなく、ゴルフボールを収容するためのボールポケット４０からゴルフボールを出し入れし易くする機能も有する（この点については、後で説明する）。
【００２２】
〔ベルト領域、特に通気部の構成〕
図１に示すように、ズボン１０は、ベルトが巻きつけられる領域であるベルト領域１５に、通気性を有する通気部２８が形成されている。
通気部２８は、汗を大気に放出するための通路であり、図１の一点鎖線で囲った図に示すように、厚み方向に貫通する多数の通気孔３５を有している。なお、通気孔３５以外の部分３６は、例えば、ポリエステルやナイロン等の合成樹脂製の糸で、結節部がないようにラッセル編み等で形成されている。
【００２３】
この通気部２８は、図２に示すように、特に、着用者の仙骨ＳＢと背骨ＣＢのつなぎ目周辺に対応した腰部ＣＲに形成されるのが好ましい。この仙骨ＳＢと背骨ＳＢのつなぎ目周辺に対応した部分は、背中の少し窪んだ部分であって、汗が溜まり易く、あせも等になる恐れのある部分だからである。なお、通気部２８については、腰部ＣＲの部分を他の部分よりも大きな面積にして、通気性を向上させてもよい。
【００２４】
本実施形態の場合、通気部２８は、図１〜図３の平行斜線を付した部分に配置されている。なお、図では、通気部２８はベルトループ３０に隠れているが、ベルトループ３０がある位置にも形成されており、ベルトループ３０は通気部２８を跨ぐようにして表側に配置されている。
即ち、本実施形態では、腰部回りにおいて、前身頃のベルトのバックルＢＣ（図６参照）が配置される中央領域（左右のループ３０ａ，３０ｂの間）以外は、通気部２８を有している。バックルの位置に通気部２８を配置しなかったのは、糸を編んで形成された通気孔３５にバックルが引っかからないようにするためである。
【００２５】
このような通気部２８については、更に特徴を有しており、以下、主に図４を用いて、詳細に説明する。
図４は、図１のＡ−Ａ概略断面図であり、図４（Ａ）はベルトをしていない状態の概略断面図、図４（Ｂ）はベルトを締め付けた状態の概略断面図である。なお、一点鎖線で囲った図は拡大図である。また、図が煩雑になるため、一点鎖線で囲った図以外は、断面を表す平行斜線を付していない。
この図に示されるように、通気部２８は、表地５０と裏地５１とを連結糸５２でつなぐことで形成されたダブルラッセル立体編地等の立体編物５４からなっている。
表地５０と裏地５１は、ラッセル編等の同様の編み方であっても構わないが、本実施形態の場合、表地５０は、図１の一点鎖線で囲った図に示すように、例えばラッセル編やチュールメッシュ編のように概ねハニカム状の多数の通気孔３５が形成されるように編まれ、これに対し、裏地５１は、図９に示すように、上下に沿った糸ＴＰ１と斜めに交差する糸ＴＰ２とで多数の通気孔３５が形成されるようにしている。
連結糸５２は、釣り糸のような所要の剛性を有する合成樹脂製のモノフィラメントで形成されるのが好ましく、これを表地５０と裏地５１との間の空間Ｓ１で密にならないように（湿気が通るように）トラストのような形状で編んで形成されている。これにより、図４（Ｂ）に示すように、ベルトＢＬを締めて上から押え付け、通気部２８を潰す方向に力Ｆがかかったとしても、連結糸５２が梁としての機能を果たして、表地５０と裏地５１とが互いに密着することを防止して、通気性を確保できる。なお、本発明の連結糸５２については、上述したトラスト構造に限られるものではなく、例えば図５に示すようにクロス構造であっても構わない。
【００２６】
さらに本実施形態の場合、表地５０と裏地５１とを連結糸５２でつなぐ立体編物５４がシート状になっており、このシート状のものを図のように二つ折りすることで、通気部２８が形成されている。このため、外側の生地５０−１と肌側の生地５０−２とが密着する恐れは相当に低く、その間の空間Ｓ２が潰されることを防止している。
また、このように二つ折りすることで、通気部２８は、通常のメッシュ生地とは異なり、相当の嵩高感を有する剛性を確保することができ、しかも、厚み方向Ｄに若干のクッション性も発揮することができる。従って、通気部２８がズボンを位置決めするための部位にあっても、型崩れを防止することができ、そして、通気部２８をベルトＢＬで適度に押え付ければズボンが緩くなることもなく、プレーに支障を及ぼすような事態にはならない。
【００２７】
そして、ベルト領域１５には、通気部２８の厚みＷ１に比べて大きい厚みＷ２を有する肉厚部分１９が、通気部２８の上下両端に隣接して形成されている。そうすると、図４（Ｂ）に示すように、ベルト領域１５にベルトＢＬが巻かれると、通気部２８の表面（外側の生地５０−１の表面）とベルトＢＬとの間に空間Ｓ３ができ易くなる。従って、肌側から伝わってきた湿気を含む空気流ＡＲ１は、通気孔３５、連結糸５２のある空間Ｓ１、外側の生地５０−１と肌側の生地５０−２との間の空間Ｓ２を通って、通気部２８の表面とベルトＢＬとの間の空間Ｓ３への移動が可能となる。
【００２８】
この空間Ｓ３に移動してきた湿気は、図６の空気流ＡＲ１として外部に放出できる。
即ち、図４に示す立体編物５４は、基本的に糸で編んだ表地５０と裏地５１、及び連結糸５２からなっているので可撓性を有しており、そして、肉厚部分１９は、この可撓性のある立体編物５４の上に、可撓性のある生地を重ねて形成されている。従って、肉厚部分１９全体として可撓性を有し、少なくともベルトＢＬより柔軟である。このため、図６のＶ方向から視認した図７に示すように、ベルトＢＬと肉厚部分１９との間に、隙間Ｓ４ができ（特に、プレー中の運動によって、隙間Ｓ４は生じ易くなる）、この隙間Ｓ４から湿気を外部に放出することができる。
ところで、図４に示すように、シート状の立体編物５４は二つ折りにされ、折り曲げ加工された方５４ａを上にしているが、本発明はこれに限られず、折り曲げ加工されていない方５４ｂを上にしてもよい。これにより、折り曲げ加工されていない方５４ｂは相対的に剛性が低いため、図７に示す隙間Ｓ４を増やして、図６に示すように履き口２０の方から空気流ＡＲ１を放出し易くなる。なお、ベルト領域１５の下側は相対的に剛性が高くなって、腰骨に係止されるようにしてズボン１０のずり落ちを抑制できる。
【００２９】
また、図４に示す肉厚部分１９を構成する立体編物５４以外の生地４５は、吸汗速乾機能を有している。吸汗速乾機能は、例えば、毛細管現象で吸収した汗を、表面にいくほど繊維密度が高くなる構造により生地表面に導いて、表面で汗を拡散させて素早く乾燥させるという機能であり、そのような機能を有する生地４５として、例えば東レのフィールドセンサー（商標）を利用できる。従って、生地４５の内、ベルトＢＬに密着していない部分４５ａの内側に汗が溜まれば、図４（Ｂ）の矢印ＡＲ２に示すように、この部分４５ａから汗を外部に放出することもできる。
【００３０】
なお、図１に示すように、通気部２８は多数の通気孔３５を有するため、表面が凹凸状になっている。従って、ズボン１０の内側に入れた下着等のズレ防止することもできる。
また、図４に示すように、ズボンの内側にはシリコンテープ等の滑り止め３９が、ベルト領域１５の下側に配置されており、通気部２８と協働して、下着等のズレを防止している。
【００３１】
〔ボールポケットについて〕
次に、ボールポケット４０について、上述した図３、及び図８を用いて説明する。図８は、ボールポケット４０の開口部４２を開けて、上側から見た斜視図である。
図３及び図８に示されるように、ボールポケット４０は、手を下に下げて手が届く大腿部に対応した位置に設けられている。
ボールポケット４０は、ゴルフボールＧＢを収容するための袋状部４４を有している。袋状部４４にはピン等のその他の物品を入れても勿論構わない。
この袋状部４４は、正面視が概ね台形状をしており、また、主に下側に所定のマチ４４ａを有し、ゴルフボールＧＢが袋状部４４の下側に２個まで入るようになっている。
【００３２】
このようなボールポケット４０は、ゴルフボールＧＢを挿入するための開口部４２が上述した脇線７０と同じ位置に形成されている。従って、脇線３５と開口部４２のための縫い目とが同化して、ボールポケット４０は目立ち難くなっており、上述した脇線７０による美感を維持することができる。
なお、開口部４２にはファスナー４９が設けられて、開閉自在となっている。このファスナー４９を含め、ボールポケット４０はその他の股下部１４と同様の色彩である。
また、マチ４４ａがあまり広がらないように、袋状部４４の下側の角部４４ｂは縫合され、より袋状部４４を目立たなくさせている。
【００３３】
このようなボールポケット４０の袋状部４４は、脇線７０よりも後身頃側に配置されているので、スイング時に邪魔になることがない。
しかも、開口部４２は、足首に向うに従って除々に前方に配置されるように斜めに延伸した脇線７０の位置にあり、これにより袋状部４４は、図３に示すように、側面において、腰回り方向Ｘの略中央に配置される具合となっている。従って、袋状部４４が脇線７０よりも後身頃側にあっても、図８に示すように、余り手を後身頃側に曲げなくてもゴルフボールＧＢを取り出すことができる。
【００３４】
ところで、このようにボールポケット４０を入れると、入れたゴルフボールＧＢの重みで、ズボン本体１６は下側に引っ張られる。そこで、図１及び図４の通気部２８は、腰部回り方向Ｘに比べて上下方向Ｚの伸縮性を低くして、ズボン本体１６の上下方向Ｚの伸びを防止している。
具体的には、上述したように、通気部２８の表地と裏地はポリエステルやナイロン等の合成樹脂製の糸で編まれているが、図９に示すように、裏地５１については、略上下方向Ｚに沿う糸ＴＰ１を有するように編まれているため、この編み方で上下方向Ｚの伸縮性を低くしている。
また、図９に示すように、裏地５１については、横方向（図１の腰部回り方向）Ｘに沿った糸は存在しないため、通気部２８の腰部回り方向の伸縮性は比較的高くなり、スイング時の腰の捻りが容易になるというメリットも有し、ゴルフ用ズボンとして優れた機能を発揮する。
【００３５】
本発明は上述の実施形態に限定されない。
実施形態で説明した各構成の一部は省略可能であり、また、説明しない他の構成と組み合わせることも可能である。
例えば、図４に示すように、通気部２８は、好ましい形態として、表地５０と裏地５１とを連結糸５２でつないだシート状の立体編物５４を二つ折りして形成しているが、本発明はこれに限られるものではなく、二つ折りにしない立体編物５４を通気部にしてもよい。
【符号の説明】
【００３６】
１５・・・ベルト領域、１６・・・ボトム本体（ズボン本体）、１９・・・肉厚部分、２８・・・通気部、３０・・・ベルトループ、７０・・・脇線、４０・・・ボールポケット、５０・・・表地、５１・・・裏地、５２・・・連結糸
【図１】
2017002435.tif 000003
【図２】
2017002435.tif 000004
【図３】
2017002435.tif 000005
【図４】
2017002435.tif 000006
【図５】
2017002435.tif 000007
【図６】
2017002435.tif 000008
【図７】
2017002435.tif 000009
【図８】
2017002435.tif 000010
【図９】
2017002435.tif 000011
【手続補正書】
【提出日】平成27年6月30日(2015.6.30)
【手続補正１】
【補正対象書類名】図面
【補正対象項目名】全図
【補正方法】変更
【補正の内容】
【図１】
2017002435.tif 000012
【図２】
2017002435.tif 000013
【図３】
2017002435.tif 000014
【図４】
2017002435.tif 000015
【図５】
2017002435.tif 000016
【図６】
2017002435.tif 000017
【図７】
2017002435.tif 000018
【図８】
2017002435.tif 000019
【図９】
2017002435.tif 000020
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
着用者の腰部に巻き付けられるベルトを通すためのベルトループをボトム本体に接続したゴルフ用ボトムであって、
前記ボトム本体には、前記ベルトが巻きつけられる領域であるベルト領域に、通気性を有する通気部が形成され、
前記ベルトループは、前記通気部を跨ぐようにして表側に配置されており、
前記通気部は、上から前記ベルトで押さえ付けられても通気孔を有する表地と裏地とが互いに密着しないように、前記表地と前記裏地とが連結糸でつなげられているシート状の立体編物からなっており、
前記シート状の立体編物は二つ折り状態とされており、
前記ベルト領域には、前記通気部の表面と前記ベルトとの間に空間が生じるように、前記通気部の厚みに比べて大きい厚みを有する肉厚部分が、前記通気部の上下両端に隣接して形成されている
ことを特徴とするゴルフ用ボトム。
【請求項２】
前記通気部は、前記ベルトのバックルが配置される領域には形成されないようにして、少なくとも着用者の仙骨と背骨のつなぎ目周辺に対応した腰部に形成されていることを特徴とする請求項１に記載のゴルフ用ボトム。
【請求項３】
前記ゴルフ用ボトムはゴルフ用ズボンであり、
前身頃の生地と後見頃の生地とを縫合して形成された脇線は、尻部から足首に向うに従って除々に前方に配置されるように斜めに延伸しており、
着用者の大腿部に対応した位置には、ゴルフボールを収容するためのボールポケットを有し、
前記ボールポケットは、ゴルフボールを挿入するための開口部が前記脇線の位置にあり、前記ゴルフボールを収容する袋状部が前記脇線よりも後身頃側に配置されている
ことを特徴とする請求項１又は２に記載のゴルフ用ボトム。
【請求項４】
前記通気部は、前記腰部回り方向に比べて上下方向の伸縮性が低いことを特徴とする請求項１ないし３のいずれかに記載のゴルフ用ボトム。
【手続補正２】
【補正対象書類名】明細書
【補正対象項目名】０００７
【補正方法】変更
【補正の内容】
【０００７】
本発明は、着用者の腰部に巻き付けられるベルトを通すためのベルトループをボトム本体に接続したゴルフ用ボトムであって、前記ボトム本体には、前記ベルトが巻きつけられる領域であるベルト領域に、通気性を有する通気部が形成され、前記ベルトループは、前記通気部を跨ぐようにして表側に配置されており、前記通気部は、上から前記ベルトで押さえ付けられても通気孔を有する表地と裏地とが互いに密着しないように、前記表地と前記裏地とが連結糸でつなげられているシート状の立体編物からなっており、前記シート状の立体編物は二つ折り状態とされており、前記ベルト領域には、前記通気部の表面と前記ベルトとの間に空間が生じるように、前記通気部の厚みに比べて大きい厚みを有する肉厚部分が、前記通気部の上下両端に隣接して形成されていることを特徴とする。
【手続補正３】
【補正対象書類名】明細書
【補正対象項目名】０００９
【補正方法】変更
【補正の内容】
【０００９】
また、上記構成によれば、ベルト領域には肉厚部分があるので、ベルトと通気部との間に隙間をでき易くし、該隙間を介して、通気部を通ってきた湿気をより外部に放出し易くすることができる。また、もしベルトを強く締付けて、ベルトと通気部とが密着したとしても、肉厚部分により、より潰れにくい通気部とすることができ、通気性の悪化を防止することができる。